(57)【要約】【課題】電子レシートサービスポイントを付加した電子レシートを提供することが可能とする。【解決手段】電子レシートの受取を指定する客面表示部３９の電子レシートボタン５０と、この電子レシートボタン５０が指定されると、電子レシートサービスポイントを付加した電子レシートデータを生成する。この電子レシートデータが赤外線通信ポート３４を介して携帯端末１００へ送信する。【選択図】図５
2014081818.tif 000002
【特許請求の範囲】
【請求項１】
赤外線通信手段を備え、この赤外線通信手段の通信範囲内に位置する同一仕様の赤外線通信手段を搭載した携帯端末へ赤外線信号によるデータの送信が可能な商品販売データ処理装置において、
１商取引として販売される商品の登録終了を宣言する登録締め手段と、
この登録締め手段により商品登録終了が宣言されると１商取引のレシートデータを生成するレシートデータ生成手段と、
このレシートデータ生成手段により生成された前記レシートデータをレシートに印刷発行する印刷レシート発行手段と、
前記レシートデータを電子レシートデータに生成する電子レシート指定手段と、
この電子レシート指定手段が指定されると前記レシートデータに電子レシートサービスポイントを付加した電子レシートデータを生成する電子レシートデータ生成手段と、
この電子レシートデータ生成手段により生成された前記電子レシートデータが赤外線通信手段により前記携帯端末へ送信する電子レシートデータ送信手段と、
を備えたことを特徴とする商品販売データ処理装置。
【請求項２】
赤外線通信手段を備え、この赤外線通信手段の通信範囲内に位置する同一仕様の赤外線通信手段を搭載した携帯端末へ赤外線信号によるデータの送信が可能な商品販売データ処理装置において、
客面表示部と、
１商取引として販売される商品の登録終了を宣言する登録締め手段と、
この登録締め手段により商品登録終了が宣言されると１商取引のレシートデータを生成するレシートデータ生成手段と、
このレシートデータ生成手段により生成された前記レシートデータをレシートに印刷発行する印刷レシート発行手段と、
前記客面表示部に電子レシート指定手段を表示する電子レシート指定表示手段と、
この電子レシート指定表示手段により表示された前記電子レシート指定手段が指定されると前記レシートデータに電子レシートサービスポイントを付加した電子レシートデータを生成する電子レシートデータ生成手段と、
この電子レシートデータ生成手段により生成された前記電子レシートデータを前記客面表示部に表示させる電子レシートデータ表示手段と、
前記電子レシートデータを赤外線通信手段により前記携帯端末へ送信する電子レシートデータ送信手段と、
を備えたことを特徴とする商品販売データ処理装置。
【請求項３】
赤外線通信手段を備え、この赤外線通信手段の通信範囲内に位置する同一仕様の赤外線通信手段を搭載した商品販売データ処理装置から赤外線信号によるデータの受信が可能な携帯端末において、
１商取引の電子レシートデータを前記商品販売データ処理装置の前記赤外線通信手段から受信する前記赤外線通信手段と、
前記赤外線通信手段により受信した前記電子レシートデータを表示する表示部と、
この表示部に表示した前記電子レシートデータを保存するか否かを入力する入力部と、
この入力部により前記電子レシートデータの保存が入力されると前記電子レシートデータを保存する記録部と、
を備えたことを特徴とする携帯端末。
【発明の詳細な説明】
【技術分野】
【０００１】
本発明の実施の形態は、ＰＯＳ（Point Of Sales：販売時点データ管理）端末等の商品販売データ処理装置および携帯端末に関する。
【背景技術】
【０００２】
一般に、ＰＯＳ端末等の商品販売データ処理装置は、商品登録手段により顧客が購入した商品の販売データが登録され、続いて登録締め手段により１商取引として販売した商品の登録が宣言されると、その１商取引として販売した商品の商品名、単価、合計金額、取引日時、ＰＯＳ端末の操作責任者、取引番号及び店名等を印字したレシートを発行するレシート発行機能を有している。
【０００３】
このレシート発行機能により印字発行されるレシートは、通常、買物客に渡される。すると、買物客は、受け取ったレシートを見て商品の登録内容に間違いないかを確認する。しかし、買物客の中にはレシートを受け取ってもその内容を確認することなくすぐに捨ててしまう客がいた。特にコンビニエンスストア等ではその傾向が顕著であり、買物客によって捨てられた大量のレシートがゴミとして処分されていた。
【０００４】
そこで、このような店では、レシートを発行するか否かを選択可能な商品販売データ処理装置を使用し、レシートを要求する客に対してのみレシートを発行するようにして、ゴミとなるレシートの発行を抑えていた。
【０００５】
また、最近では買物客がレシートを印字された紙レシートで受け取る紙レシートでなくレシートを電子化したレシートを商品販売データ処理装置で生成して携帯端末で電子レシートを受信する方法が知られている（たとえば、特許文献１参照）。
【先行技術文献】
【特許文献】
【０００６】
【特許文献１】特開２００４−２６５２４３号公報
【発明の概要】
【発明が解決しようとする課題】
【０００７】
しかしながら、ＰＯＳ端末と携帯端末とのデータの送受信を交互に操作するために顧客には負担がかかるという課題があった。
【０００８】
本発明の実施の形態は、電子レシートを送信することを可能とする商品販売データ処理装置および携帯端末を提供しようとするものである。
【課題を解決するための手段】
【０００９】
本発明の実施の形態に係る商品販売データ処理装置は、赤外線通信手段を備え、この赤外線通信手段の通信範囲内に位置する同一仕様の赤外線通信手段を搭載した携帯端末へ赤外線信号によるデータの送信が可能な商品販売データ処理装置において、１商取引として販売される商品の登録終了を宣言する登録締め手段と、この登録締め手段により商品登録終了が宣言されると１商取引のレシートデータを生成するレシートデータ生成手段と、このレシートデータ生成手段により生成された前記レシートデータをレシートに印刷発行する印刷レシート発行手段と、前記レシートデータを電子レシートデータに生成する電子レシート指定手段と、この電子レシート指定手段が指定されると前記レシートデータに電子レシートサービスポイントを付加した電子レシートデータを生成する電子レシートデータ生成手段と、この電子レシートデータ生成手段により生成された前記電子レシートデータが前記赤外線通信手段により前記携帯端末へ送信する電子レシートデータ送信手段と、を備えたことを特徴とする。
【００１０】
また、本発明の実施の形態に係る携帯端末は、赤外線通信手段を備え、この赤外線通信手段の通信範囲内に位置する同一仕様の赤外線通信手段を搭載した商品販売データ処理装置から赤外線信号によるデータの受信が可能な携帯端末において、１商取引決済の電子レシートデータを前記商品販売データ処理装置の前記赤外線通信手段から受信する前記赤外線通信手段と、前記赤外線通信手段により受信した前記電子レシートデータを表示する表示部と、この表示部に表示された前記電子レシートデータを保存するか否かを入力する入力部と、前記電子レシートを保存する記録部と、を有することを特徴とする。
【図面の簡単な説明】
【００１１】
【図１】本発明の実施の形態に係る電子レシートシステムの全体の概略を示す一例の概略図。
【図２】同実施の形態に係るＰＯＳ端末の要部構成を示す一例のブロック図。
【図３】同実施の形態に係る携帯端末の要部構成を示す一例のブロック図。
【図４】同実施の形態に係るＰＯＳ端末の客面表示部に表示される画面の一例を示す図。
【図５】同実施の形態に係るＰＯＳ端末のＣＰＵが実行する商品販売データ処理の主要なステップを示すフローチャート。
【図６】同実施の形態に係る携帯端末のＣＰＵが実行する電子レシート受信処理の主要なステップを示すフローチャート。
【発明を実施するための形態】
【００１２】
以下、本発明の一実施の形態について図面を用いて説明する。
【００１３】
なお、この実施の形態は、商品販売データ処理装置として店舗において設置されている電子レシートシステムのＰＯＳ端末を用い、買物客が所有する買物時に携帯している携帯端末の内部メモリを使用し、ＰＯＳ端末と携帯端末とのデータ通信を近距離無線通信規格である赤外線通信機能を利用して無線で電子レシートの送受を行う場合である。
【００１４】
因みに、赤外線通信機能を利用した場合は、電話交換機や電話回線網等の電話施設を介して通信を行わないので通信料金がかからず、また通信相手を特定する際にも電話番号を使用しないので買物客のプライバシーを保つことができる。
【００１５】
図１は、本実施の形態における電子レシートシステム１１の全体構成を示す概略図である。
【００１６】
図１に示すように、この電子レシートシステム１１は、複数台のＰＯＳ端末１２と１台のストアコンピュータ１３とが、ＬＡＮ（Local Area Network）などのネットワーク１４を介して接続されている。
【００１７】
さらに、ＰＯＳ端末１２と携帯端末１００とは双方に形成された赤外線通信ポート３４(図２参照)、１０４(図３参照)により赤外線通信を利用して必要に応じて接続されるようになっている。
【００１８】
ＰＯＳ端末１２は、１商取引の決済処理された内容を示すレシートデータを印刷媒体に出力して印刷レシートを発行する印刷レシート発行手段を有するとともに、レシートデータを電子化した電子レシートを生成する電子レシート生成手段を有している。
【００１９】
なお、本実施の形態では、印刷媒体をレシート用紙とする。以後、レシートデータが印刷された印刷レシートを紙レシートとする。
【００２０】
図２は、本実施の形態におけるＰＯＳ端末１２の要部構成を示すブロック図である。
【００２１】
図２に示すようにＰＯＳ端末１２は、制御部本体を構成するＣＰＵ（Central Processing Unit）２１を備えている。そして、このＣＰＵ２１には、ＲＯＭ（Read Only Memory）２２、ＲＡＭ（Random Access Memory）２３、時計部２４、通信コントローラ２５、キーボードコントローラ２６、ＨＤＤ（Hard Disk Drive）コントローラ２７、表示コントローラ２８、表示コントローラ２９、プリンタコントローラ３０、スキャナコントローラ３１、カードリーダコントローラ３２、Ｉ／Ｏ（Input・Output）ポート３３、赤外線通信ポート３４等の各構成要素を、アドレスバス、データバスなどのバスライン３５により電気的に接続している。
【００２２】
そして、前記各コントローラ２５、２６、２７、２８、２９、３０、３１、３２には、キーボード３６、ＨＤＤ３７、前面表示部３８、客面表示部３９、プリンタ４０、スキャナ４１、カードリーダ４２を接続している。
【００２３】
また、前記Ｉ／Ｏポート３３には、たとえば、預／現計キーなどの締めキーの登録締め手段を使用した場合に、Ｉ／Ｏポート３３から出力される駆動信号によって開放動作するドロワ４３が接続されている。
【００２４】
赤外線通信ポート３４は、ＰＯＳ端末１２で生成された電子レシートデータを赤外線信号により携帯端末１００に赤外線通信を実行させることが可能となる。
【００２５】
ＲＯＭ２２には、主記憶部としてＣＰＵ２１が実行するＯＳ（Operating System）、コンピュータプログラムおよび電子レシート対応プログラム等の各種プログラム等の固定的データを予め格納記憶されている。
【００２６】
ＲＡＭ２３には、ＣＰＵ２１が商品販売データ処理を実行するための各種可変的データを記憶する際に一時的にデータやプログラムを記憶するためのワークメモリエリアが設けられている。
【００２７】
時計部２４には、現在の日付、日時を計時されるようになっている。
【００２８】
通信コントローラ２５は、有線または無線の伝送路を介してストアコンピュータ１３との間でデータ通信を制御する。
【００２９】
キーボードコントローラ２６は、キーボード３６から操作されたキーに対応するキー信号を取り込みＣＰＵ２１に入力させる。このキーボードコントローラ２６には、テンキー、ＰＬＵ（Price Look Up）キー、小計キー、１取引の代金を決済する締めを宣言する登録締め手段である預／現計キー等が配設されたＰＯＳ端末専用のキーボード３６が接続されている。
【００３０】
ＨＤＤコントローラ２７は、ＣＰＵ２１などからの指令に応じてＨＤＤ３７の所定領域に記憶格納されている各種ファイルなどを読み出し、前記バスライン３５から受け取った各種ファイルなどをＨＤＤ３７の所定領域に記憶格納するために、前記ＨＤＤ３７に対するデータなどの読み書きの制御を行う。これら各種ファイルは、ＰＯＳ端末１２の起動時にその全部又は一部がＲＡＭ２３にコピーされてＣＰＵ２１にアクセスされる。ＣＰＵ２１は、ＯＳ，コンピュータプログラムに従って商品販売データ処理を実行する。
【００３１】
表示コントローラ２８は、前面表示部３８の画面表示を駆動制御するもので、前面表示部３８は、当該ＰＯＳ端末１２のオペレータであるキャッシャに対して販売商品の商品名、単価、小計金額、合計金額、預かり金額および電子レシートサービスポイント等を表示するものである。
【００３２】
表示コントローラ２９は、客面表示部３９の画面表示を駆動制御するもので、客面表示部３９は、商品を購入した会員に対して販売商品の商品名、単価、小計金額、合計金額、預かり金額および電子レシートサービスポイント等を表示するものである。この表示コントローラ２９は、客面表示部２９の表示部上に設けられているタッチパネルセンサーを制御しタッチ位置に対応した信号を取り込むタッチパネルコントローラの機能を有する。また、客面表示部３９の画面には、図４に示すように、電子レシートを指定する電子レシートボタン５０を案内とともに表示するようになっている。
【００３３】
プリンタコントローラ３０は、プリンタ４０の駆動を制御してＣＰＵ２１から供給されるレシートデータをもとに、レシート用紙に１取引の取引明細データを印字して紙レシートを発行するものである。プリンタコントローラ３０、プリンタ４０およびＣＰＵ２１によって、本実施の形態のレシート印字発行手段が構成されている。
【００３４】
スキャナコントローラ３１は、スキャナ４１で読み取られた商品コードの信号を取り込みＣＰＵ２１に入力するものである。スキャナ４１は、商品に付けられたバーコードを読み取るものである。各商品には、その商品の商品データである固有の商品コードを示すバーコードがつけられている。ここに、スキャナコントローラ３１、スキャナ４１およびＣＰＵ２１は、商品データ入力手段として機能する。なお商品コードは、ＰＬＵコードとしてキーボード３６のテンキーとＰＬＵキーにより入力することも可能となる。
【００３５】
カードリーダコントローラ３２は、カードリーダ４２により会員カードのカードデータの読み取られたデータ信号、たとえば、会員コードを取り込みＣＰＵ２１に入力する。カードリーダ４２は、前記会員カードに記録された会員コードを含むカードデータを読取るものである。ここに、  カードリーダコントローラ３２、カードリーダ４２およびＣＰＵ２１は、会員データ入力手段として機能する。
【００３６】
会員カードは、会員となった会員がそれぞれ所有する記憶媒体であり、その記憶媒体には少なくとも当該会員の会員データである会員コードおよび電子レシートサービスポイント等が記憶されている。
【００３７】
なお、会員カードの種類は特に限定されるものではなく、磁気カード、ＩＣカード等であってもよい。ちなみに、磁気カードの場合には、磁気カードリーダライタがカードリーダ４１、カードリーダコントローラ３２として機能する。また、ＩＣカードの場合には、ＩＣカードリーダライタがカードリーダコントローラ３２として機能する。
【００３８】
ＣＰＵ２１は、カードリーダ４１により会員カードに記録されている会員コードおよび電子レシートサービスポイント等を読取りカードリーダコントローラ３２により入力された各データを前記ストアコンピュータ１３の図示しない会員ファイルに転送するようになっている。また、カードリーダ４１により会員カードに記録されている会員コードおよび電子レシートサービスポイント等を読取りカードリーダコントローラ３２によりＲＡＭ２３の図示しない会員メモリに一時記憶されるようになっている。
【００３９】
図３は、携帯端末１００のハードウェアの要部構成を示すブロック図である。
【００４０】
携帯端末１００は、ＰＯＳ端末１２の赤外線通信ポート３４により、電子レシートデータの受信処理する機能を有している。すなわち携帯端末１００は、ＰＯＳ端末１２から電子レシートデータの明細をダウンロードすることにより電子レシートの明細を表示部１０６で閲覧できるようになっている。
【００４１】
図３に示すように、携帯端末１００は、制御部本体を構成するＣＰＵ１０１を備えている。そして、このＣＰＵ１０１には、ワークメモリ１０２、記録部１０３、赤外線通信ポート１０４、非接触ＩＣカードメモリ１０５、表示部１０６、入力部１０７および公衆網接続インターフェース１０８等で構成されている。
【００４２】
ワークメモリ１０２は、各種プログラムを演算等のために一時的に記憶するための領域である。
【００４３】
記録部１０３は、各種のプログラムやデータ等が記録される不揮発性の領域である。
【００４４】
赤外線通信ポート１０４は、ＰＯＳ端末１２と赤外線信号による通信を行う赤外線通信手段として機能する。
【００４５】
非接触ＩＣカードメモリ１０５は、赤外線通信ポート１０４を介して送受する情報を格納する。
【００４６】
表示部１０６は、電子レシート等の閲覧画面等を表示する。
【００４７】
入力部１０７は、携帯端末１００を操作するための各種キーを配置している。
【００４８】
公衆網接続インターフェース１０８は、インターネットを介して他の機器と通信を行う通信手段として機能する。
【００４９】
記録部１０３には、Ｗｅｂ上に公開されている各種コンテンツを表示部１０６で閲覧するためのＷｅｂブラウザの他、電子レシート対応プログラムＰ１がインストールされている。電子レシート対応プログラムＰ１は、商取引の決済後に生成される電子レシートをＰＯＳ端末１２から携帯端末１００が受け取り表示するためのプログラムである。
【００５０】
電子レシート対応プログラムＰ１は、たとえば、インターネットを介して記録部１０３にダウンロードすることが可能である。そして、この電子レシート対応プログラムＰ１を記録部１０３にダウンロードすることによって電子レシート保存領域Ａ１が記録部１０３に形成される。
【００５１】
赤外線通信ポート１０４における赤外線通信機能の規格としては、ＰＯＳ端末１２と共通するたとえば、Ｉｒｄａ等が採用されている。
【００５２】
図５は、本実施の形態に係るＰＯＳ端末１１のＣＰＵ２１が実行する１商取引の商品販売データ処理のステップを示すフローチャートである。
【００５３】
まず、ＣＰＵ２１は、商品の販売データが商品登録されるのを待機する（ステップＳＴ１１）。たとえば、キーボード３６の置数キーと乗算キーとにより乗数が入力され、続いてスキャナ４１により商品コードのバーコードがスキャニング入力されると（ステップＳＴ１１のＹＥＳ）、ＣＰＵ２１は、商品販売データ登録処理を実行する（ステップＳＴ１２）。
【００５４】
この商品販売データ登録処理は、スキャナ４１により入力された商品コードに対応してプリセットされている単価をたとえば、図示しない商品データテーブルから読出し、この単価に販売点数を乗算して販売金額を算出する。そして、この販売点数及び販売金額を当該商品コードが設定されている商品の販売点数及び販売金額としてＲＡＭ２３の図示しない商品登録メモリに登録する処理である(商品登録手段)。さらに、前記商品販売データ登録処理した商品コードに対応して、商品名、販売点数および販売金額等からなる登録商品明細データをＲＡＭ２３の図示しない取引メモリに登録順に格納する。
【００５５】
次に、ＣＰＵ２１は、たとえば、図４に示すように、客面表示部３９に商品名、単価、販売点数、販売金額、合計金額等および電子レシートボタン５０とその案内について表示させる（ステップＳＴ１３）。
【００５６】
次に、ＣＰＵ２１は、１商取引決済の登録締めが宣言されるのを待機する（ステップＳＴ１４）。そして、登録締めが宣言されていない場合には（ステップＳＴ１４のＮＯ）、ステップＳＴ１１に戻り、次の商品登録を待機する。
【００５７】
ＣＰＵ２１は、たとえば、預／現計キーの入力を検知すると（ステップＳＴ１４のＹＥＳ）、１商取引決済の登録終了が宣言されると(登録締め手段)、商品登録締め処理を実行する（ステップＳＴ１５）。
【００５８】
この商品登録締め処理は、現金取引の決済の場合、預かり金額から合計金額を減算して釣銭額を算出し、店面表示部３８および客面表示部３９に表示させる処理を行い、決済を完了した当該商取引の小計金額、税額、合計金額、預かり金額、釣銭額等からなる決済明細データをＲＡＭ２３の図示しない取引メモリに格納する。
【００５９】
ＣＰＵ２１は、決済が完了すると、客面表示部３９の電子レシートボタン５０がタッチ操作されているか否かを判断する（ステップＳＴ１６）。電子レシートボタン５０が指定されない場合には、（ステップＳＴ１６のＮＯ）、電子レシート発行対象の取引でないので、従来と同様のレシート用紙に印字し紙レシート発行処理を行う。すなわち、ＲＡＭ２３の取引メモリに格納された登録商品明細データおよび決済明細データ等に基づいてレシートデータを生成し、生成された前記レシートデータをＲＡＭ２３のメモリに格納される（ステップＳＴ１７）。そして、ＣＰＵ２１は、このレシートデータをプリンタコントローラ３０からプリンタ４０に出力してレシートの印字発行を実行する（ステップＳＴ１８）。
【００６０】
その後、ＣＰＵ２１は、Ｉ／Ｏポート３３から駆動信号を出力してドロワ４３を自動開放させて（ステップＳＴ２３）、この１商取引を終了する。        
一方、客面表示部３９の電子レシートボタン５０が指定されると（ステップＳＴ１６のＹＥＳ）、ＣＰＵ２１は、電子レシート発行対象の取引であることを示すメッセージ「電子レシート取引」と「携帯端末の赤外線通信の赤外線受信をＯＮにしてＰＯＳ端末に近接してください」を客面表示部３９に表示させる（ステップＳＴ１９）。
【００６１】
次に、ＣＰＵ２１は、前記ステップＳＴ１７で生成したレシートデータに電子レシートサービスポイントを付加した電子レシートデータを生成し、ＲＡＭ２３の図示しない電子レシートメモリに格納する（ステップＳＴ２０）。ここでは、紙レシートを発行しないのでエコポイントとして電子レシートサービスポイントを付加するようになっている。
【００６２】
ＣＰＵ２１は、当該商取引は、電子レシート発行対象なので赤外線通信対応の携帯端末１００が接続されるのを待機する（ステップＳＴ２１）。そして、赤外線信号の到達距離内に位置する範囲内に買物客が所有する携帯端末１００と当該ＰＯＳ端末１２との赤外線接続が確立すると（ステップＳＴ２１のＹＥＳ）、ＣＰＵ２１は、ステップＳＴ２０で生成した電子レシートデータを赤外線通信ポート３４から携帯端末１００の赤外線通信ポート１０４へ送信する（ステップＳＴ２２：電子レシートデータ送信手段）。
【００６３】
その後、ＣＰＵ２１は、Ｉ／Ｏポート３３から駆動信号を出力してドロワ４３を自動開放させて（ステップＳＴ２３）、この１商取引を終了する。        
図６は、本実施の形態に係る携帯端末１００のＣＰＵ１０１が電子レシート対応プログラムＰ１に基づき実行される電子レシート受信処理のステップを示すフローチャートである。
【００６４】
先ず、ＣＰＵ１０１は、赤外線通信ポート１０４を介してＰＯＳ端末１２との赤外線通信が接続されるのを待機する（ステップＳＴ１１１）。
【００６５】
携帯端末１００を所有する買物客は、購入した商品の販売データがＰＯＳ端末１２に登録され、登録締め手段により１商取引決済し、電子レシートボタン５０を指定したならば、携帯端末１００の赤外線通信ポート１０４の赤外線受信をＯＮにして当該ＰＯＳ端末１２に近づける。そうすると、携帯端末１００とＰＯＳ端末１２との間で、互いの赤外線通信ポート３４、１０４を介して信号が授受されて赤外線回線が接続される。
【００６６】
ＰＯＳ端末１２と携帯端末１００の赤外線通信回線が接続されると、ＣＰＵ１０１は、ＰＯＳ端末１２からの赤外線信号により電子レシートデータをダウンロードする（ステップＳＴ１１２）。
【００６７】
ＣＰＵ２１は、ダウンロードされた電子レシートデータをワークメモリ１０２に一時的に格納する（ステップＳＴ１１３）。
【００６８】
次に、ＣＰＵ１０１は、ダウンロードされた電子レシートの内容を表示部１０６に表示する（ステップＳＴ１１４）。
【００６９】
その後、ＣＰＵ１０１は、確認入力を待つ（ステップＳＴ１１５）。入力部１０７を介して確認した旨が入力されると（ステップＳＴ１１５のＹＥＳ）、ＣＰＵ１０１は、電子レシートのデータを携帯端末１００内に保存するかどうかを表示部１０６の画面を表示する（ステップＳＴ１１６）。
【００７０】
そして、入力部１０７の入力により保存する旨入力された場合には（ステップＳＴ１１７のＹＥＳ）、ＣＰＵ１０１は、ワークメモリ１０２に格納している電子レシートのデータを記録部１０３の電子レシート保存領域Ａ１に保存する（ステップＳＴ１１８）。
【００７１】
そして、ＣＰＵ１０１は、ワークメモリ１０２内の電子レシートのデータをクリアしたならば（ステップＳＴ１１９）、ＣＰＵ１０１は、この電子レシート対応プログラムＰ１を終了させる。
【００７２】
一方、ステップＳＴ１１７にて入力部１０７の入力により保存しない旨が入力された場合には（ステップＳＴ１１７のＮＯ）、ＣＰＵ１０１は、ワークメモリ１０２内の電子レシートのデータをクリアしたならば（ステップＳＴ１１９）、ＣＰＵ１０１は、この電子レシート対応プログラムＰ１を終了させる。
【００７３】
このように本実施の形態によれば、携帯端末１００の簡単な操作により電子レシートを利用することによって、紙にて印字発行されるレシートの無駄を極力減らすことが可能となる。
【００７４】
また買物客が電子レシートを利用することでエコポイントである電子レシートサービスポイントを付与されるため積極的に電子レシートを利用することにより紙資源の省力化につながる。
【００７５】
また商取引決済の記録を電子レシートで受け取ることが可能な携帯端末１００において、携帯端末１００の記録部１０３に電子レシートを保存することで、簡単にパソコンに転送することにより家計簿を作成することが可能となる。
【００７６】
なお、この発明は前記実施の形態に限定されるものではなく、実施の段階ではその要旨を逸脱しない範囲で構成要素を変形して具体化できる。
【００７７】
本実施の形態において、携帯端末としては、携帯電話、スマートホンおよびタブレット端末などにより利用することが可能である。
【００７８】
また、会員カードに買物時に付与されるポイントと電子レシートサービスポイントとを合算して記録するようにしてもよい。
【００７９】
本発明は前記実施の形態に開示されている複数の構成要素を適宜な組み合わせにより種々の発明を形成できる。たとえば、実施の形態に示される全構成要素から幾つかの構成要素を削除してもよい。さらに、異なる実施形態にわたる構成要素を組み合わせてもよい。
【符号の説明】
【００８０】
１１…電子レシートシステム、１２…ＰＯＳ端末、１３…ストアコンピュータ、２１、１０１…ＣＰＵ、２２…ＲＯＭ、２３…ＲＡＭ、３４、１０４…赤外線通信ポート、３６…キーボード、３７…前面表示部、３８…客面表示部、３９…プリンタ、４０…スキャナ、４１…カードリーダ、１００…携帯端末、１０３…記録部、１０６…表示部、１０７…入力部、Ｐ１…電子レシート対応プログラム、Ａ１…電子レシート保存領域。
【図１】
2014081818.tif 000003
【図２】
2014081818.tif 000004
【図３】
2014081818.tif 000005
【図４】
2014081818.tif 000006
【図５】
2014081818.tif 000007
【図６】
2014081818.tif 000008